(57)【要約】【課題】湯切り機構を有する具取りスプーンを備えたインスタント麺包装体を提供する。【解決手段】インスタント麺用の容器と該容器の蓋そして具取りスプーンとそれらを覆うシール体とより構成され、前記具取りスプーンは湯切り機構を有するすくい部と柄とよりなり、使用角度で折り曲げ固定される折り曲げ機構を有するものであることを特徴とするインスタント麺包装体である。【選択図】図１
2006282281.tif 000002
【特許請求の範囲】
【請求項１】
インスタント麺用の容器と、該容器の蓋と、そして具取りスプーンとそれらを覆うシール体とより構成され、前記具取りスプーンは湯切り機構を有するすくい部と、柄とよりなり、使用角度で折り曲げ固定される折り曲げ機構を有するものであることを特徴とするインスタント麺包装体。
【請求項２】
インスタント麺用の容器と、該容器の蓋と、そして具取りスプーンとそれらを覆うシール体より構成され、前記具取りスプーンはインスタント麺用の容器あるいはシール体に取り外し可能に一部が接着されていて、湯切り機構を有するすくい部と、柄とよりなり、使用角度で折り曲げ固定される折り曲げ機構を有するものであることを特徴とするインスタント麺包装体。
【発明の詳細な説明】
【技術分野】
【０００１】  本発明は湯切り機構を有する具取りスプーンを備えたインスタント麺包装体に関するものである。
【背景技術】
【０００２】  従来、カップに入ったインスタント麺（カップラーメン、インスタントそば、インスタントうどん等）の包装体は容器と、該容器の蓋と、それらを覆うシール体等で構成されているものがあるが、スプーンなどが付いていないものであった。
【特許文献１】  特許公開２００２−２９３３６２
【発明の開示】
【発明が解決しようとする課題】
【０００３】  そのために、次のような問題があった。
（イ）中に入っている細かい具を箸で摘んで全て食べるのは汁が不透明なため大変難しかった。そのため具の一部は捨てられていた。
（ロ）箸の替わりに湯切りの出来るスプーンを使って細かい具を全部すくい取りたい場合でもインスタント麺の容器に合う大きさのものを探して入手する必要があり、インスタント麺の簡便さを損なう結果となっていた。
（ハ）従来のものでは具を簡単に全部食べる方法として、汁を具が入ったまま全部飲むやりかたがあるが、健康にとって必ずしも好ましいことではなかった。
本発明はこれらの問題点を解決するためになされたものである。
【課題を解決するための手段】
【０００４】  インスタント麺用の容器、該容器の蓋と、そして具取りスプーンとそれらを覆うシール体とより構成され、前記具取りスプーンは湯切り機構を有するすくい部と、柄とよりなり、使用角度で折り曲げ固定される折り曲げ機構を有するものであることを特徴とするインスタント麺包装体である。
【発明の効果】
【０００５】（イ）使い捨ての具取りスプーンがインスタント麺包装体に取り付けられているため、簡単に細かい具まで全部、汁を全部飲むこと無しに、食べることが出来る。
（ロ）具取りスプーンはインスタント麺包装体に取り付けられている時はフラットであり、使用時に折り曲げ固定する機構を有しているため、インスタント麺包装体への取り付け場所が小さくてすみ、容器の側面、容器の上部、容器の底、容器の中など何処にでも取り付けが容易である。
（ハ）具取りスプーンをインスタント麺用の容器あるいはシール体に取り外し可能に一部を接着すれば包装を行う場合の脱落防止となり、何処の取り付け場所でも包装が容易に行える。
（ニ）今後ますます美味しく、より健康に良い食品の要求が高まる中で、いろいろな細かい具を入れたインスタント麺を可能にした。
【発明を実施するための最良の形態】
【０００６】  以下、本発明の実施の形態について説明する。
図１に示すように発砲スチロール等で出来たインスタント麺用の容器（１）と、該容器の蓋（２）と、そして具取りスプーン（４）と、それを覆うシール体（３）とより構成される。
容器、蓋、シール体は従来利用される技術によるものである。
具取りスプーン（４）は図２に示すように具取り湯切り機構を有するすくい部（５）と、柄（６）と、該柄に設けられたすくい部分（５）を使用角度に起こして固定するための挿入部（９）を有する差込バンド（７）と、すくい部分（５）の柄に近い場所に差込バンド（７）を差込み固定するための穴（８）より構成される可撓性板状体となっている。
前記挿入部（９）は穴（８）に入る大きさとするが、先端には差込後差込バンド（７）が抜けないように穴（８）より僅かに大きいストッパー（１０）を幅方向に設ける。
柄（６）は図３に示すように使用角度に折り曲げ易いように、すくい部分（５）と柄（６）の境界部分の裏側に柄（６）を一度下に曲げるため下部凹み（１１）と、表側に柄（６）を上に曲げ戻すための上部凹み（１２）を、それぞれ差込バンドを除いて柄長さに対し直角に設ける。該下部凹み（１１）と上部凹み（１２）の距離は図４、図５に示すように差込バンド（７）を穴（８）に差し込んだ時すくい部分（５）が使用角度に折れ曲がるような長さとする。
すくい部分（５）は湯切り機構持たせるため図２に示すような貫通した網状とする。
これら包装体は容器（１）にインスタント麺を入れ、接着された蓋（２）の上に具取りスプーン（４）の一部を取り外し可能に蓋（２）またはシール体に接着するか、または接着せずに置きそれら全てを覆うようにシール体（３）で密閉する。
本発明は以上のような構成であり、使用する時は容器（１）を覆っているシール体（３）を取り除いて蓋（２）またはシール体（３）のいずれかに接着または挟みつけられている具取りスプーンを取り出し、図４、図５に示すように柄（６）を一度下部凹み（１１）が内側なるように下に曲げ、その後上部凹み（１２）を内側にして上に曲げ戻してから差込バンド（７）の挿入部（９）を穴（８）にストッパー（１０）が裏側に突き出るまで差込み、すくい部分（５）を使用角度に固定する。
尚、具取りスプーン（４）に関しては一例を図６に示すようにすくい部分（５）の湯切り機構が貫通した円状または多角形であってもよい。また、ストッパー（１０）は図６に示すように穴（８）より僅かに厚み方向に大きくしてもよい。
また、柄（６）に設けられた上部凹み（１２）およびすくい部（５）と柄（６）の境界に設けた下部凹み（１１）は差込バンドの長さや穴の位置によっては上部凹み（１２）のみでも可能である。
このスプーンを汁の中の細かい具をすくって食べる時に使用する。【０００７】  以下本発明の第２の実施形態例につき説明する。
本発明の第２の実施形態例は本発明の具取りスプーン（４）の差込バンドがすくい部側に、穴が柄側に設けられたもので、差込バンドの固定方法およびそれに伴う固定穴の形状が異なる例であって、インスタント麺用の容器（１）と、該容器の蓋（２）と、そして具取りスプーン（４）と、それを覆うシール体（３）とより構成されることに変わりは無い。
図７に示すように具取りスプーン（４）は、本発明第１の実施例と同じ形態と機能を備えたすくい部分（５）と、柄（６）と、すくい部分（５）の柄が取り付けられている側に引掛け部（１３）を有する差込アンカー（１４）と、柄を使用角度に起こして前述の差込アンカー（１４）を差込んで固定するための固定穴（１５）と、柄を使用角度に曲げ易いようにすくい部分（５）と柄（６）の境界に設けられた上部凹部（１６）とより構成される可撓性板状体である。
差込アンカー（１４）は図８（ａ）に示すように引掛け部（１３）を有し、すくい部（５）と柄（６）が水平である初期状態では上に跳ね上がっているが、袋などに梱包するとき突出しないように上から軽く押さえれば水平に近い状態を維持できるようすくい部分（５）と差込アンカー（１４）の境界部に差込アンカー長さに対し直角に下部凹部（１７）を有した可撓性のものである。跳ね上がっている理由は図８（ｂ）に示すように柄を使用角度に曲げようとする時引掛け部（１３）が固定穴（１５）の下に引っ掛かるのを避けるためで、図８（ｃ）のように初期状態で引掛け部（１３）の上部が固定穴（１５）の位置に来るようになっている。その長さは引掛け部（１３）を固定穴（１５）に差込み固定したとき柄が使用角度になる長さである。
固定穴（１５）は柄（６）のすくい部側に設けられ、差込アンカー（１４）を省略した状態で要部を拡大した図９に示すように引掛け部（１３）がスムースに入る貫通した穴の挿入穴（１８）と、引掛け部（１３）の幅より僅かに小さな切れ目（１９）を持った戻り止め（２０ａ）、（２０ｂ）と、引掛け部（１３）が下から抜けないように固定するための固定子（２１）からなっている。それぞれの位置関係は、戻り止め（２０ａ）、（２０ｂ）が挿入穴（１８）のすくい部側の柄の上面側に、固定子（２１）がさらにすくい部側に近い柄の下面側に設けられていて、それぞれの厚みの間には引掛け部が通ることが出来る隙間（２２）を形成している。また、戻り止め（２０ａ）、（２０ｂ）と固定子（２１）は平面的には重ならず成型時の型取りは上下抜きが可能な構造となっている。
引掛け部（１３）は図１０に示すように差込アンカー（１４）の先端に設けられていて差込アンカーと同じ幅で厚みが隙間（２２）より僅かに小さいアーム（２３）と、該アームの先端にアームの幅より両横に突き出ていて厚みが隙間（２２）より厚くなった突起部（２４）を有している。
本発明の第２の実施例の具取スプーン（４）は以上のような構成であり、使用するときは図１１（ａ）に示すように柄（６）を使用角度よりやや大きく曲げ、突起部（２４）を挿入穴（１８）に差込み、図１１（ｂ）に示すようにアーム（２３）を該アームの幅より小さな戻り止め（２０ａ），（２０ｂ）のに厚みに対し直角方向に強い力で戻り止め（２０）の下に押し込み、図１１（ｃ）に示すように突起部（２４）を固定子（２１）に引っ掛かるまで隙間（２２）に柄（６）を使用角度に戻すようにして挿入させ、柄（１４）を固定して具取スプーンを完成させる。このアーム（２３）は使用時には、すくい部分（５）から掛かる主な力はその長さに対し前後方向であるため隙間（２２）内を前後には動くが、アーム（２３）が戻り止め（２０ａ），（２０ｂ）のアームの幅より小さい切れ目（１９）を越えて隙間（２２）より抜ける事は無い。この完成した具取スプーンにより汁の中の具をすくって食べる時に使用する。第２の実施例の利点は、差込部分を指で穴に押し込んで引掛ける方法なので、差込部分を摘んで穴に差し込む方法より容易に柄を使用角度に固定出来ることである。
【図面の簡単な説明】
【０００８】
【図１】本発明の斜視図
【図２】本発明の部品の平面図
【図３】本発明の部品の正面図
【図４】本発明の部品の使用状態を示した斜視図
【図５】本発明の部品の使用状態を示した正面図
【図６】本発明の部品の他の実施例を示す一部切り欠いた斜視拡大図
【図７】本発明の第２の実施例を示す斜視拡大図
【図８】本発明の第２の実施例を示す部分拡大図
【図９】本発明の第２の実施例を示す一部切り欠いた部分拡大図
【図１０】本発明の第２の実施例を示す部分拡大図
【図１１】本発明の第２の実施例の使用方法を示す説明図
【符号の説明】
【０００９】    １                      容器、
２                      蓋、
３                      シール体、
４                      具取りスプーン、
５                      すくい部分、
６                      柄、
７                      差込バンド、
８                      穴、
９                      挿入部、
１０                    ストッパー、
１１                    下部凹み、
１２                    上部凹み、
１３                    引掛け部、
１４                    差込アンカー、
１５                    固定穴、
１６                    上部凹部、
１７                    下部凹部、
１８                    挿入穴、
１９                    切れ目
２０；２０ａ、２０ｂ    戻り止め、
２１                    固定子、
２２                    隙間、
２３                    アーム、
２４                    突起部、
【図１】
2006282281.tif 000003
【図２】
2006282281.tif 000004
【図３】
2006282281.tif 000005
【図４】
2006282281.tif 000006
【図５】
2006282281.tif 000007
【図６】
2006282281.tif 000008
【図７】
2006282281.tif 000009
【図８】
2006282281.tif 000010
【図９】
2006282281.tif 000011
【図１０】
2006282281.tif 000012
【図１１】
2006282281.tif 000013